(57)【要約】  一実施形態に係る基地局は、自基地局の近隣にある近隣基地局との通信を行うことができるネットワーク通信部１２０と、無線端末ＵＥのハンドオーバ先候補の近隣基地局に対して、省電力状態からの復帰を要求するためのCell Activation Requestメッセージを前記ネットワーク通信部１２０を介して送信する制御部１５０と、を備える。
2012086621.tif 000002
【特許請求の範囲】
【請求項１】
無線通信部と、
自基地局の近隣にある近隣基地局との通信を行うことができるネットワーク通信部と、
前記無線端末のハンドオーバ先候補の近隣基地局に対して、省電力状態からの復帰を要求するための復帰要求を前記ネットワーク通信部を介して送信する制御部と、
を備えた基地局。
【請求項２】
前記制御部は、
前記無線端末が自基地局へのハンドオーバを行ったときのハンドオーバ元の近隣基地局と自基地局との位置関係に基づいて、前記無線端末のハンドオーバ先候補の近隣基地局を特定する請求項１に記載の基地局。
【請求項３】
前記制御部は、
前記ハンドオーバ先候補の近隣基地局が省電力状態である場合には、前記復帰要求を前記ハンドオーバ先候補の近隣基地局に送信するよう前記ネットワーク通信部を制御し、
前記ハンドオーバ先候補の近隣基地局が省電力状態でない場合には、前記ハンドオーバ先候補の近隣基地局に対する前記復帰要求の送信を省略するよう前記ネットワーク通信部を制御する、請求項２に記載の基地局。
【請求項４】
近隣基地局及び自基地局のそれぞれの位置情報を記憶する記憶部をさらに備え、
前記制御部は、
前記ハンドオーバ元の近隣基地局の位置情報と自基地局の位置情報とを前記記憶部から取得し、
前記取得した各位置情報を用いて、前記無線端末の移動方向を算出し、
前記算出した移動方向に応じて、前記ハンドオーバ先候補の近隣基地局を特定する、請求項２に記載の基地局。
【請求項５】
前記ネットワーク通信部は、
前記無線端末が前記ハンドオーバ元の近隣基地局へのハンドオーバを行った時刻を示す第１の時刻情報を前記ハンドオーバ元の近隣基地局から受信し、
前記制御部は、
前記第１の時刻情報と、前記無線端末が自基地局へのハンドオーバを行った時刻を示す第２の時刻情報とをさらに取得し、
前記ハンドオーバ元の近隣基地局の位置情報と、自基地局の位置情報と、前記第１の時刻情報と、前記第２の時刻情報とを用いて、前記無線端末の移動方向及び移動速度を算出し、
前記算出した移動方向及び移動速度に応じて定められる、前記無線端末の推定移動範囲内の近隣基地局を、前記ハンドオーバ先候補の近隣基地局として特定する、請求項３に記載の基地局。
【請求項６】
前記第１の時刻情報は、
自基地局への前記無線端末のハンドオーバに先立って前記ハンドオーバ元の近隣基地局から送信され、ハンドオーバの準備を要求するためのハンドオーバ要求メッセージに含まれており、
前記ネットワーク通信部は、
前記第１の時刻情報を含んだ前記ハンドオーバ要求メッセージを前記ハンドオーバ元の近隣基地局から受信する、請求項３に記載の基地局。
【請求項７】
ハンドオーバ元候補の近隣基地局と、前記ハンドオーバ元候補の近隣基地局及び自基地局の位置関係に応じて定められるハンドオーバ先候補の近隣基地局との対応付けを記憶する記憶部をさらに備え、
前記制御部は、前記記憶部を参照して、前記ハンドオーバ元の近隣基地局に対応する近隣基地局を、前記無線端末のハンドオーバ先候補の近隣基地局として特定する、請求項２に記載の基地局。
【請求項８】
無線通信部と、
自基地局の近隣にある近隣基地局との通信を行うことができるネットワーク通信部と、を有する基地局の制御方法であって、
前記無線端末が自基地局へのハンドオーバを行ったときのハンドオーバ元の近隣基地局を特定するステップと、
前記ハンドオーバ元の近隣基地局と自基地局との位置関係に基づいて、次のハンドオーバ先候補の近隣基地局を特定するステップと、
前記無線端末のハンドオーバ先候補の近隣基地局に対して、省電力状態からの復帰を要求するための復帰要求を送信するステップと
を備えた制御方法。
【発明の詳細な説明】
【技術分野】
【０００１】
本発明は、ＳＯＮ技術が適用される基地局及びその制御方法に関する。
【背景技術】
【０００２】
移動通信システムの標準化団体である３ＧＰＰ（3rd Generation Partnership Project）で標準化されているＬＴＥ（Long Term Evolution）では、人手を介さずに、基地局に係る設定を基地局自身で変更可能なＳＯＮ（Self Organizing Network）技術が適用される。【０００３】
ＳＯＮ技術の一形態として、無線端末との通信に影響の無い範囲で無線信号の送信を停止する等により、基地局の消費電力を削減するエナジーセービング技術がある（非特許文献１参照）。
【先行技術文献】
【非特許文献】
【０００４】
【非特許文献１】3GPP TR36.902 V9.2.0, “Self-configuring and self-optimizing network (SON) use cases and solutions”, 2010-06
【発明の概要】
【０００５】
しかしながら、上述したエナジーセービング技術においては、省電力状態にある基地局を通常状態に復帰させる際の具体的な手法が確立していないため、次のような問題が生じる。
【０００６】
具体的には、基地局が省電力状態にある場合には、通信中の無線端末が当該基地局の通信エリア内に移動しても、当該無線端末は当該基地局へのハンドオーバを行うことができずに、当該無線端末の通信が途絶する虞がある。
【０００７】
そこで、本発明は、近隣基地局を適切に通常状態に復帰させることができる基地局及びその制御方法を提供することを目的とする。
【課題を解決するための手段】
【０００８】
上述した課題を解決するために、本発明は以下のような特徴を有している。まず、本発明に係る基地局の特徴は、無線通信部（無線通信部１１０）と、自基地局の近隣にある近隣基地局との通信を行うことができるネットワーク通信部（ネットワーク通信部１２０）と、前記無線端末のハンドオーバ先候補の近隣基地局に対して、省電力状態からの復帰を要求するための復帰要求（例えばCell Activation Requestメッセージ）を前記ネットワーク通信部を介して送信する制御部（制御部１５０）と、を備えたことを要旨とする。【０００９】
このような特徴によれば、基地局は、自基地局へのハンドオーバを行った無線端末を検知すると、当該無線端末のハンドオーバ元の近隣基地局と自基地局との位置関係に基づいて特定されるハンドオーバ先候補の近隣基地局に対して、省電力状態からの復帰を要求するための復帰要求を送信する。これにより、近隣基地局を適切に通常状態に復帰させることができる。【００１０】
本発明に係る基地局の他の特徴は、上記特徴に係る基地局において、前記制御部は、前記無線端末が自基地局へのハンドオーバを行ったときのハンドオーバ元の近隣基地局と自基地局との位置関係に基づいて、前記無線端末のハンドオーバ先候補の近隣基地局を特定することを要旨とする。【００１１】
本発明に係る基地局の他の特徴は、上記特徴に係る基地局において、前記制御部は、前記ハンドオーバ先候補の近隣基地局が省電力状態である場合には、前記復帰要求を前記ハンドオーバ先候補の近隣基地局に送信するよう前記ネットワーク通信部を制御し、前記ハンドオーバ先候補の近隣基地局が省電力状態でない場合には、前記ハンドオーバ先候補の近隣基地局に対する前記復帰要求の送信を省略するよう前記ネットワーク通信部を制御することを要旨とする。【００１２】
本発明に係る基地局の他の特徴は、上記特徴に係る基地局において、近隣基地局及び自基地局のそれぞれの位置情報を記憶する記憶部（記憶部１４０）をさらに備え、前記制御部は、前記ハンドオーバ元の近隣基地局の位置情報と自基地局の位置情報とを前記記憶部から取得し、前記取得した各位置情報を用いて、前記無線端末の移動方向を算出し、前記算出した移動方向に応じて、前記ハンドオーバ先候補の近隣基地局を特定することを要旨とする。【００１３】
本発明に係る基地局の他の特徴は、上記特徴に係る基地局において、前記ネットワーク通信部は、前記無線端末が前記ハンドオーバ元の近隣基地局へのハンドオーバを行った時刻を示す第１の時刻情報を前記ハンドオーバ元の近隣基地局から受信し、制御部は、前記第１の時刻情報と、前記無線端末が自基地局へのハンドオーバを行った時刻を示す第２の時刻情報とをさらに取得し、前記ハンドオーバ元の近隣基地局の位置情報と、自基地局の位置情報と、前記第１の時刻情報と、前記第２の時刻情報とを用いて、前記無線端末の移動方向及び移動速度を算出し、前記算出した移動方向及び移動速度に応じて定められる、前記無線端末の推定移動範囲内の近隣基地局を、前記ハンドオーバ先候補の近隣基地局として特定することを要旨とする。【００１４】
本発明に係る基地局の他の特徴は、上記特徴に係る基地局において、前記第１の時刻情報は、自基地局への前記無線端末のハンドオーバに先立って前記ハンドオーバ元の近隣基地局から送信され、ハンドオーバの準備を要求するためのハンドオーバ要求メッセージに含まれており、前記ネットワーク通信部は、前記第１の時刻情報を含んだ前記ハンドオーバ要求メッセージを前記ハンドオーバ元の近隣基地局から受信することを要旨とする。【００１５】
本発明に係る基地局の他の特徴は、上記特徴に係る基地局において、ハンドオーバ元候補の近隣基地局と、前記ハンドオーバ元候補の近隣基地局及び自基地局の位置関係に応じて定められるハンドオーバ先候補の近隣基地局との対応付けを記憶する記憶部（記憶部１４０）をさらに備え、前記制御部は、前記記憶部を参照して、前記ハンドオーバ元の近隣基地局に対応する近隣基地局を、前記無線端末のハンドオーバ先候補の近隣基地局として特定することを要旨とする。【００１６】
本発明に係る制御方法の特徴は、無線通信部と、自基地局の近隣にある近隣基地局との通信を行うことができるネットワーク通信部と、を有する基地局の制御方法であって、前記無線端末が自基地局へのハンドオーバを行ったときのハンドオーバ元の近隣基地局を特定するステップと、前記ハンドオーバ元の近隣基地局と自基地局との位置関係に基づいて、次のハンドオーバ先候補の近隣基地局を特定するステップと、前記無線端末のハンドオーバ先候補の近隣基地局に対して、省電力状態からの復帰を要求するための復帰要求を送信するステップとを備えたことを要旨とする。
【図面の簡単な説明】
【００１７】
【図１】図１は、第１実施形態及び第２実施形態に係る移動通信システムのネットワーク構成を示すネットワーク構成図である。
【図２】図２は、第１実施形態に係る基地局の構成を示すブロック図である。
【図３】図３は、第１実施形態に係る近隣基地局情報の構成を示す図である。
【図４】図４は、第１実施形態及び第２実施形態に係る移動通信システムの概略動作を説明するための動作概念図である。
【図５】図５は、第１実施形態に係る移動通信システムの詳細動作を説明するための動作シーケンス図である。
【図６】図６は、第２実施形態に係る基地局の構成を示すブロック図である。
【図７】図７は、第２実施形態に係る近隣基地局情報の構成を示す図である。
【図８】図８は、第２実施形態に係る移動通信システムの詳細動作を説明するための動作シーケンス図である。
【発明を実施するための形態】
【００１８】
図面を参照して、本発明の第１実施形態、第２実施形態、及びその他の実施形態を説明する。以下の各実施形態における図面において、同一又は類似の部分には同一又は類似の符号を付す。
【００１９】
以下の各実施形態においては、３ＧＰＰ（3rd Generation Partnership Project）で仕様が策定されているＬＴＥ（Long Term Evolution）規格に基づいて構成される移動通信システムを説明するが、他の規格に基づいて構成される移動通信システムに対して本発明を適用してもよい。
【００２０】
（１）第１実施形態
以下、第１実施形態について、（１．１）移動通信システムの概要、（１．２）基地局の構成、（１．３）移動通信システムの動作例、（１．４）第１実施形態の効果の順に説明する。
【００２１】
（１．１）移動通信システムの概要
図１は、第１実施形態に係る移動通信システム１のネットワーク構成を示すネットワーク構成図である。移動通信システム１には、ＳＯＮ（Self Organizing Network）技術が適用される。
【００２２】
図１に示すように、移動通信システム１は、無線端末ＵＥ（User Equipment）、複数の基地局ｅＮＢ（evolved Node-B）、及び複数の移動管理装置ＭＭＥ（Mobility Management Entity）／ゲートウェイ装置Ｓ−ＧＷ（Serving Gateway）を有する。
【００２３】
複数の基地局ｅＮＢは、Ｅ−ＵＴＲＡＮ（Evolved-UMTS Terrestrial Radio Access  Network）を構成する。複数の基地局ｅＮＢのそれぞれは、無線端末ＵＥにサービスを提供すべき通信エリアである１又は複数のセルを管理する。
【００２４】
無線端末ＵＥは、ユーザが所持する無線通信装置であり、ユーザ装置とも称される。無線端末ＵＥは、通信中（RRC Connectedと称される）において、サービング基地局（或いはサービングセル）の切り替え、すなわちハンドオーバを行うことができる。
【００２５】
互いに近隣にある各基地局ｅＮＢは、基地局間通信を提供する論理的な通信路であるＸ２インターフェースを介して互いに通信可能である。また、複数の基地局ｅＮＢのそれぞれは、Ｓ１インターフェースを介して、ＥＰＣ（Evolved Packet Core）、具体的には、ＭＭＥ／Ｓ−ＧＷと通信可能である。  
【００２６】
（１．２）基地局の構成
図２は、第１実施形態に係る基地局ｅＮＢの構成を示すブロック図である。
【００２７】
図２に示すように、第１実施形態に係る基地局ｅＮＢは、アンテナ１０１、無線通信部１１０、ネットワーク通信部１２０、電源部１３０、記憶部１４０、及び制御部１５０を有する。アンテナ１０１は、無線通信部１１０に接続されており、無線通信部１１０、ネットワーク通信部１２０、及び記憶部１４０のそれぞれは、制御部１５０に接続されている。
【００２８】
アンテナ１０１は、無線信号の送受信に用いられる。アンテナ１０１は、複数のアンテナ素子を用いて構成されてもよい。
【００２９】
無線通信部１１０は、例えば無線周波数（ＲＦ）回路や信号処理回路等を用いて構成され、アンテナ１０１を介して無線通信を行うように構成される。送信については、無線通信部１１０は、制御部１５０から入力される送信信号の符号化及び変調を行った後、アップコンバート及び増幅を行ってアンテナ１０１に出力する。受信については、無線通信部１１０は、アンテナ１０１から入力される受信信号の増幅及びダウンコンバートを行った後、復調及び復号を行って制御部１５０に出力する。
【００３０】
ネットワーク通信部１２０は、Ｘ２インターフェイスを用いて、近隣基地局との通信を行う。また、ネットワーク通信部１２０は、Ｓ１インターフェイスを用いてＭＭＥ／ＳＧＷとの通信を行う。
【００３１】
電源部１３０は、無線通信部１１０、ネットワーク通信部１２０、記憶部１４０、及び制御部１５０のそれぞれに接続されており、無線通信部１１０、ネットワーク通信部１２０、記憶部１４０、及び制御部１５０のそれぞれに電力を供給する。電源部１３０は、制御部１５０からの制御に応じて、無線通信部１１０に対する電力の供給を停止又は低減することができる。以下において、無線通信部１１０に対する電力の供給が停止又は低減された状態を「省電力状態」と称する。無線通信部１１０は、基地局ｅＮＢの各ブロックの中で最も消費電力の大きいブロックであるため、無線通信部１１０へ供給する電力を停止又は低減させると、基地局ｅＮＢの消費電力を大幅に削減することができる。
【００３２】
記憶部１４０は、例えばメモリを用いて構成され、基地局ｅＮＢの制御等に用いられる各種の情報を記憶する。また、記憶部１４０は、近隣基地局に関する近隣基地局情報を記憶する。図３は、近隣基地局情報の構成を示す図である。図３に示すように、近隣基地局情報は、近隣基地局毎に、識別情報と、位置情報と、動作状態情報とを対応付けて構成される。近隣基地局の識別情報としては、当該近隣基地局の基地局ＩＤ、又は当該近隣基地局が管理するセルのセルＩＤが使用できる。近隣基地局の位置情報としては、当該近隣基地局の経度及び緯度の情報が使用できる。近隣基地局の動作状態情報としては、当該近隣基地局が通常状態であるか省電力状態であるかを示す情報が使用できる。なお、記憶部１４０は、自基地局ｅＮＢの位置を示す位置情報を予め記憶しているとする。
【００３３】
制御部１５０は、例えばＣＰＵを用いて構成され、基地局ｅＮＢが備える各種の機能を制御する。制御部１５０は、自基地局ｅＮＢへのハンドオーバを行った無線端末ＵＥを検知すると、当該無線端末ＵＥのハンドオーバ先候補の近隣基地局に対して、省電力状態からの復帰を要求するための復帰要求であるCell Activation Requestメッセージを送信するようネットワーク通信部１２０を制御する。Cell Activation Requestメッセージは、Ｘ２インターフェースを用いて近隣基地局に伝送される。Cell Activation Requestメッセージは、省電力（Deactivation）状態から通常（Activation）状態へ切り替えるべき基地局の識別情報（具体的には、セルＩＤ）を含む。Cell Activation RequestメッセージはＬＴＥで規定されており、その詳細については例えば3GPP TS36.423 “8.3.11 Cell Activation”を参照されたい。
【００３４】
制御部１５０は、記憶部１４０に記憶されている近隣基地局情報を参照し、ハンドオーバ先候補の近隣基地局が省電力状態である場合にはCell Activation Requestメッセージをハンドオーバ先候補の近隣基地局に送信するようネットワーク通信部１２０を制御し、ハンドオーバ先候補の近隣基地局ｅＮＢが省電力状態でない場合にはハンドオーバ先候補の近隣基地局ｅＮＢに対するCell Activation Requestメッセージの送信を省略するようネットワーク通信部１２０を制御する。
【００３５】
次に、制御部１５０の詳細について説明する。制御部１５０は、近隣基地局情報管理部１５１、ハンドオーバ制御部１５２、ハンドオーバ時刻管理部１５３、ハンドオーバ元特定部１５４、ハンドオーバ先候補特定部１５５、及び動作状態制御部１５６を含む。近隣基地局情報管理部１５１、ハンドオーバ時刻管理部１５３、ハンドオーバ制御部１５２、ハンドオーバ元特定部１５４、ハンドオーバ先候補特定部１５５、及び動作状態制御部１５６のそれぞれの機能は、例えば、制御部１５０としてのＣＰＵが、記憶部１４０に記憶されているプログラムを実行することで実現される。
【００３６】
近隣基地局情報管理部１５１は、記憶部１４０に記憶されている近隣基地局情報を管理する。近隣基地局情報に含まれる、近隣基地局の識別情報は、ネイバーリストと称され、自基地局ｅＮＢの設置時にオペレータによって設定されてもよく、ＳＯＮ技術を用いて自動で設定されてもよい。近隣基地局の位置情報については、自基地局ｅＮＢの設置時にオペレータによって設定されてもよく、自動で設定されてもよい。近隣基地局の動作状態情報については、近隣基地局情報管理部１５１は、近隣基地局からの省電力状態通知を受信したことに応じて当該近隣基地局の動作状態を省電力状態に更新し、Cell Activation Requestメッセージを近隣基地局に送信したことに応じて当該近隣基地局の動作状態を通常状態に更新する。このような省電力状態通知としては、ＬＴＥで定義されているeNB Configuration UpdateメッセージのDeactivation Indication IEが使用できる（例えば、3GPPTS 36.423 “8.3.5 eNB Configuration Update”参照）。
【００３７】
ハンドオーバ制御部１５２は、ＬＴＥで定義されたハンドオーバシーケンスに従って、無線端末ＵＥのハンドオーバを制御する。当該ハンドオーバシーケンスの詳細については例えば3GPP TS 36.300 V10.0.0 “10.1.2.1 Handover”に記載されているが、ここではその概要を説明する。自基地局ｅＮＢがハンドオーバ元になるケースにおいて、ハンドオーバ制御部１５２は、無線端末ＵＥからの測定結果報告（Measurement Reportと称される）に基づいて当該無線端末ＵＥのハンドオーバ先の基地局或いはセルを決定し、決定したハンドオーバ先に対してハンドオーバを要求（Handover Request）し、当該ハンドオーバ要求に対応する肯定応答（Handover Request ACKと称される）が通知されると、当該無線端末ＵＥにハンドオーバを指示する。これに対し、自基地局ｅＮＢがハンドオーバ先になるケースにおいて、ハンドオーバ制御部１５２は、近隣基地局からのハンドオーバ要求に応じて無線端末ＵＥの受け入れ可否を判定し、当該無線端末ＵＥを受け入れる場合には肯定応答を当該近隣基地局に通知する。以下においては、図２に示す基地局ｅＮＢがハンドオーバ先になるケースを主として説明する。
【００３８】
第１実施形態では、ネットワーク通信部１２０が近隣基地局から受信するハンドオーバ要求（Handover Request）は、ハンドオーバ対象の無線端末ＵＥの識別情報と、当該近隣基地局の識別情報と、無線端末ＵＥが当該近隣基地局へのハンドオーバを行った時刻を示す情報（以下、第１の時刻情報と称する）を含む。
【００３９】
ハンドオーバ時刻管理部１５３は、第１の時刻情報と、無線端末ＵＥが自基地局ｅＮＢへのハンドオーバを行った時刻を示す情報（以下、第２の時刻情報と称する）を管理する。
【００４０】
ハンドオーバ元特定部１５４は、無線端末ＵＥのハンドオーバ元の近隣基地局ｅＮＢを特定する。例えば、ハンドオーバ元特定部１５４は、ネットワーク通信部１２０が受信したハンドオーバ要求に含まれる無線端末ＵＥの識別情報と近隣基地局の識別情報とに基づいて、自基地局ｅＮＢへのハンドオーバを行った無線端末ＵＥのハンドオーバ元の近隣基地局ｅＮＢを特定する。或いは、ハンドオーバ元特定部１５４は、ハンドオーバ時に行う無線端末ＵＥとのネゴシエーションの際に、ハンドオーバ元の近隣基地局ｅＮＢの情報を当該無線端末ＵＥから取得して、当該ハンドオーバ元の近隣基地局ｅＮＢを特定してもよい。
【００４１】
ハンドオーバ先候補特定部１５５は、ハンドオーバ元特定部１５４によって特定されたハンドオーバ元の近隣基地局と自基地局ｅＮＢとの位置関係に基づいて、ハンドオーバ先候補の近隣基地局を特定する。
【００４２】
第１実施形態では、ハンドオーバ先候補特定部１５５は、ハンドオーバ元特定部１５４によって特定されたハンドオーバ元の近隣基地局の位置情報と自基地局ｅＮＢの位置情報とを記憶部１４０から取得し、取得した各位置情報を用いて、無線端末ＵＥの移動方向を算出し、算出した移動方向に応じて、ハンドオーバ先候補の近隣基地局を特定する。
【００４３】
具体的には、ハンドオーバ先候補特定部１５５は、第１の時刻情報と、第２の時刻情報とをさらに取得し、ハンドオーバ元の近隣基地局の位置情報と、自基地局ｅＮＢの位置情報と、第１の時刻情報と、第２の時刻情報とを用いて、無線端末ＵＥの移動方向及び移動速度を算出し、算出した移動方向及び移動速度に応じて定められる無線端末ＵＥの推定移動範囲内の近隣基地局を、ハンドオーバ先候補の近隣基地局として特定する。
【００４４】
動作状態制御部１５６は、ハンドオーバ先候補特定部１５５によって特定されたハンドオーバ先候補の近隣基地局に対して、省電力状態からの復帰を要求するための復帰要求であるCell Activation Requestメッセージを送信するようネットワーク通信部１２０を制御する。具体的には、動作状態制御部１５６は、記憶部１４０に記憶されている近隣基地局情報を参照し、ハンドオーバ先候補特定部１５５によって特定されたハンドオーバ先候補の近隣基地局ｅＮＢが省電力状態である場合にはCell Activation Requestメッセージをハンドオーバ先候補の近隣基地局ｅＮＢに送信するようネットワーク通信部１２０を制御し、ハンドオーバ先候補特定部１５５によって特定されたハンドオーバ先候補の近隣基地局ｅＮＢが省電力状態でない場合にはハンドオーバ先候補の近隣基地局ｅＮＢに対するCell Activation Requestメッセージの送信を省略するようネットワーク通信部１２０を制御する。
【００４５】
（１．３）移動通信システムの動作例
次に、第１実施形態に係る移動通信システム１の動作例について、（１．３．１）概略動作、（１．３．２）動作シーケンスの順に説明する。
【００４６】
（１．３．１）概略動作
図４は、第１実施形態に係る移動通信システム１の概略動作を説明するための動作概念図である。本動作例では、基地局ｅＮＢ＃ａと、基地局ｅＮＢ＃ａの近隣基地局ｅＮＢ＃ｂ及びｅＮＢ＃１〜ｅＮＢ＃５とが設けられた状況下で、無線端末ＵＥが基地局ｅＮＢ＃ａの通信エリアから基地局ｅＮＢ＃ｂの通信エリアへ移動し、基地局ｅＮＢ＃ａから基地局ｅＮＢ＃ｂへのハンドオーバを行うケースを説明する。また、基地局ｅＮＢ＃１〜ｅＮＢ＃５のそれぞれは省電力状態にあるとする。
【００４７】
図４に示すように、無線端末ＵＥが基地局ｅＮＢ＃ａにハンドオーバした時刻（第１の時刻情報）をｔａとし、無線端末ＵＥが基地局ｅＮＢ＃ａから基地局ｅＮＢ＃ｂにハンドオーバした時刻（第２の時刻情報）をｔｂとする。また、基地局ｅＮＢ＃ａの位置情報をＰａ、基地局ｅＮＢ＃ｂの位置情報をＰｂ、基地局ｅＮＢ＃１の位置情報をＰｎ１、基地局ｅＮＢ＃２の位置情報をＰｎ２、基地局ｅＮＢ＃３の位置情報をＰｎ３、基地局ｅＮＢ＃４の位置情報をＰｎ４、基地局ｅＮＢ＃５の位置情報をＰｎ５とする。
【００４８】
まず、基地局ｅＮＢ＃ａは、無線端末ＵＥが基地局ｅＮＢ＃ａから基地局ｅＮＢ＃ｂにハンドオーバする際に、無線端末ＵＥが基地局ｅＮＢ＃ａにハンドオーバした時刻ｔａを基地局ｅＮＢ＃ｂに通知する。
【００４９】
基地局ｅＮＢ＃ｂは、無線端末ＵＥのハンドオーバ時に、以下の４つの情報を取得する。
・基地局ｅＮＢ＃ａから通知された、無線端末ＵＥが自基地局ｅＮＢ＃ａにハンドオーバした時刻ｔａ
・無線端末ＵＥがどの基地局からハンドオーバしてきたかを認識し、その基地局（基地局ｅＮＢ＃ａ）の位置Ｐａ
・無線端末ＵＥが自基地局ｅＮＢ＃ｂにハンドオーバした時刻ｔｂ
・自基地局ｅＮＢ＃ｂの位置Ｐｂ
【００５０】
基地局ｅＮＢ＃ｂは、上記パラメータを用いて、下記の式（１）に従って端末速度ベクトルｖａｂを算出し、当該端末速度ベクトルｖａｂを無線端末ＵＥのおおよその移動方向及び移動速度として用いる。
【００５１】
[数１]       
2012086621.tif 000003
・・・(1)
【００５２】
基地局ｅＮＢ＃ｂは、推定端末速度ベクトルｖａｂおよび自基地局ｅＮＢ＃ｂの位置Ｐｂを用いて、一定時間内での無線端末ＵＥの推定移動範囲を求め、その範囲内の近隣基地局を近隣基地局情報の中から抽出する。図４の例では、推定移動範囲内に、基地局ｅＮＢ＃１の位置Ｐｎ１、基地局ｅＮＢ＃２の位置Ｐｎ２が含まれるため、基地局ｅＮＢ＃ｂは、基地局ｅＮＢ＃１及びｅＮＢ＃２をハンドオーバ先候補の近隣基地局とする。
【００５３】
基地局ｅＮＢ＃ｂは、ハンドオーバ先候補として抽出された全ての近隣基地局に対して、省電力状態からの復帰要求を送信する。
【００５４】
（１．３．２）動作シーケンス
次に、図４を用いて説明した動作をより詳細に説明する。図５は、第１実施形態に係る移動通信システム１の詳細動作を説明するための動作シーケンス図である。本動作シーケンスでは、基地局ｅＮＢ＃ｂの動作を主として説明する。また、本動作シーケンスの前段階で、無線端末ＵＥが基地局ｅＮＢ＃ａにハンドオーバにしており、そのときの時刻を基地局ｅＮＢ＃ａが記憶しているとする。
【００５５】
ステップＳ１０１において、無線端末ＵＥは、基地局ｅＮＢから受信する参照信号の受信電力（ＲＳＲＰ）及び／又は参照信号の受信品質（ＲＳＲＱ）の測定結果が、予め設定されている報告条件を満たしたことを検知し、測定結果を示すMeasurement Reportメッセージを基地局ｅＮＢ＃ａに送信する。基地局ｅＮＢ＃ａとしては、例えば、サービングセルのＲＳＲＰが隣接セルのＲＳＲＰを下回ったことや、サービングセルのＲＳＲＰが閾値を下回ったことが挙げられる。なお、このようなイベントトリガ型の報告に限らず、周期的（Periodic）な報告であってもよい。基地局ｅＮＢ＃ａは、Measurement Reportメッセージを受信する。
【００５６】
ステップＳ１０２において、基地局ｅＮＢ＃ａは、無線端末ＵＥから受信したMeasurement Reportメッセージに基づいて、基地局ｅＮＢ＃ｂへのハンドオーバを決定する。
【００５７】
ステップＳ１０３において、基地局ｅＮＢ＃ａは、無線端末ＵＥが基地局ｅＮＢ＃ａにハンドオーバにしたときの時刻を示す情報（第１の時刻情報）を含んだHandover Requestメッセージを、Ｘ２インターフェースを用いて基地局ｅＮＢ＃ｂに送信する。基地局ｅＮＢ＃ｂのネットワーク通信部１２０は、第１の時刻情報を含んだHandover Requestメッセージを受信する。
【００５８】
ステップＳ１０４において、基地局ｅＮＢ＃ｂのハンドオーバ時刻管理部１５３は、ネットワーク通信部１２０が受信したHandover Requestメッセージに含まれる第１の時刻情報を取得し、当該第１の時刻情報を記憶部１４０に記憶させる。また、基地局ｅＮＢ＃ｂのハンドオーバ元特定部１５４は、ネットワーク通信部１２０が受信したHandover Requestメッセージに含まれる端末識別情報及び基地局識別情報を取得し、当該端末識別情報及び基地局識別情報を対応付けて記憶部１４０に記憶させる。
【００５９】
ステップＳ１０５において、基地局ｅＮＢ＃ｂのハンドオーバ制御部１５２は、Handover Requestメッセージに含まれる端末識別情報によって示される無線端末ＵＥの受け入れ可否を判定し、当該無線端末ＵＥを受け入れる場合にはHandover Request ACKメッセージを基地局ｅＮＢ＃ａに送信するようネットワーク通信部１２０を制御する。基地局ｅＮＢ＃ａは、Handover Request ACKメッセージを受信する。
【００６０】
ステップＳ１０６において、基地局ｅＮＢ＃ａは、Handover Request ACKメッセージを受信したことに応じて、基地局ｅＮＢ＃ｂへのハンドオーバを指示するためのHandover commandを無線端末ＵＥに送信する。無線端末ＵＥは、Handover commandを受信する。
【００６１】
ステップＳ１０７において、無線端末ＵＥは、Handover commandを受信したことに応じて、基地局ｅＮＢ＃ｂとの接続処理を行う。当該接続処理において、無線端末ＵＥは、自無線端末ＵＥの識別情報を基地局ｅＮＢ＃ｂに通知する。また、基地局ｅＮＢ＃ｂのハンドオーバ時刻管理部１５３は、無線端末ＵＥが自基地局ｅＮＢ＃ｂにハンドオーバした時刻、すなわち、上記接続処理が行われた時刻を示す情報（第２の時刻情報）を記憶部１４０に記憶させる。
【００６２】
ステップＳ１０８において、基地局ｅＮＢ＃ｂのハンドオーバ元特定部１５４は、無線端末ＵＥの識別情報と対応付けられた基地局識別情報を記憶部１４０から取得し、取得した基地局識別情報によって示される隣接基地局を無線端末ＵＥのハンドオーバ元として特定する。
【００６３】
ステップＳ１０９において、基地局ｅＮＢ＃ｂのハンドオーバ先候補特定部１５５は、ハンドオーバ元として特定された基地局ｅＮＢ＃ｂの位置情報Ｐａと、無線端末ＵＥがハンドオーバ元基地局ｅＮＢ＃ａにハンドオーバした時刻（第１の時刻情報）と、自基地局ｅＮＢ＃ｂの位置情報と、無線端末ＵＥが自基地局ｅＮＢ＃ｂにハンドオーバした時刻（第２の時刻情報）とを、記憶部１４０から取得する。さらに、ハンドオーバ先候補特定部１５５は、上記式（１）に従って端末速度ベクトルｖａｂを算出し、当該端末速度ベクトルｖａｂを無線端末ＵＥのおおよその移動方向及び移動速度として用いる。そして、ハンドオーバ先候補特定部１５５は、推定端末速度ベクトルｖａｂおよび自身の位置Ｐｂを用いて、一定時間内での無線端末ＵＥの推定移動範囲を求める。
【００６４】
ステップＳ１１０において、基地局ｅＮＢ＃ｂのハンドオーバ先候補特定部１５５は、記憶部１４０に記憶されている近隣基地局情報を参照し、上記推定移動範囲内の隣接基地局であって、且つ省電力状態である隣接基地局を特定する。ここでは、基地局ｅＮＢ＃１及びｅＮＢ＃２が特定されたとする。
【００６５】
ステップＳ１１１において、基地局ｅＮＢ＃ｂの動作状態制御部１５６は、ハンドオーバ先候補特定部１５５によって特定された基地局ｅＮＢ＃１及びｅＮＢ＃２に対して、Cell Activation Requestメッセージを送信するようネットワーク通信部１２０を制御する。ネットワーク通信部１２０は、Ｘ２インターフェースを用いてCell Activation Requestメッセージを送信し、基地局ｅＮＢ＃１及びｅＮＢ＃２は、Cell Activation Requestメッセージを受信する。基地局ｅＮＢ＃１及びｅＮＢ＃２は、Cell Activation Requestメッセージを受信した後、省電力状態から通常状態に復帰する。
【００６６】
（１．４）第１実施形態の効果
以上説明したように、基地局ｅＮＢ＃ｂは、自基地局ｅＮＢ＃ｂへのハンドオーバを行った無線端末ＵＥを検知すると、当該無線端末ＵＥのハンドオーバ元基地局ｅＮＢ＃ａと自基地局ｅＮＢ＃ｂとの位置関係に基づいて特定されるハンドオーバ先候補の基地局ｅＮＢ＃１及びｅＮＢ＃２に対して、Cell Activation Requestメッセージを送信する。これにより、無線端末ＵＥの移動先にある基地局ｅＮＢ＃１及びｅＮＢ＃２を、省電力状態から早期に復帰させることができる。
【００６７】
また、基地局ｅＮＢ＃ｂは、ハンドオーバ先候補の基地局ｅＮＢ＃１及びｅＮＢ＃２が省電力状態でない場合、すなわち通常状態にある場合には、当該基地局ｅＮＢ＃１及びｅＮＢ＃２に対するCell Activation Requestメッセージの送信を省略する。これにより、不要なCell Activation Requestメッセージの送信を回避できるため、ネットワーク側の負荷を低減できる。
【００６８】
第１実施形態では、基地局ｅＮＢ＃ｂは、ハンドオーバ元の基地局ｅＮＢ＃ａの位置情報と自基地局ｅＮＢ＃ｂの位置情報とから算出される無線端末ＵＥの移動方向に応じて、当該無線端末ＵＥのハンドオーバ先候補の基地局ｅＮＢ＃１及びｅＮＢ＃２を特定する。これにより、自基地局ｅＮＢ＃ｂの近隣に多くの近隣基地局ｅＮＢがある場合であっても、無線端末ＵＥのハンドオーバ先候補の基地局ｅＮＢ＃１及びｅＮＢ＃２を特定できる。
【００６９】
また、第１実施形態では、基地局ｅＮＢ＃ｂは、ハンドオーバ元の基地局ｅＮＢ＃ａの位置情報と、自基地局ｅＮＢ＃ｂの位置情報と、第１の時刻情報と、第２の時刻情報とから算出される、無線端末ＵＥの推定移動範囲内の近隣基地局を、ハンドオーバ先候補の基地局ｅＮＢ＃１及びｅＮＢ＃２として特定する。これにより、無線端末ＵＥのハンドオーバ先候補の基地局ｅＮＢ＃１及びｅＮＢ＃２を精度良く特定できる。
【００７０】
さらに、第１実施形態では、ＬＴＥのハンドオーバシーケンスで使用されるHandover Requestメッセージを用いて第１の時刻情報を伝送することによって、新たなメッセージを追加することなく、第１の時刻情報を基地局間で伝送できる。
【００７１】
（２）第２実施形態
以下、第２実施形態について、（２．１）基地局の構成、（２．２）移動通信システムの動作例、（２．３）第２実施形態の効果の順に説明する。第２実施形態では、第１実施形態との相違点を主として説明する。
【００７２】
（２．１）基地局の構成
図６は、第２実施形態に係る基地局ｅＮＢの構成を示すブロック図である。
【００７３】
図６に示すように、第２実施形態に係る基地局ｅＮＢは、第１実施形態で説明したハンドオーバ時刻管理部１５３を有していない。
【００７４】
また、第２実施形態に係る基地局ｅＮＢでは、記憶部１４０は、近隣基地局に関する近隣基地局情報として、図７に示す近隣基地局情報を記憶する。図７に示すように、第２実施形態に係る近隣基地局情報は、ハンドオーバ元候補の近隣基地局の識別情報と、当該ハンドオーバ元候補の近隣基地局及び自基地局の位置関係に応じて定められる、ハンドオーバ先候補の近隣基地局の識別情報と、当該ハンドオーバ先候補の近隣基地局の動作状態情報とを対応付けて構成される。
【００７５】
ハンドオーバ元候補の近隣基地局の識別情報としては、当該近隣基地局の基地局ＩＤ、又は当該近隣基地局が管理するセルのセルＩＤが使用できる。ハンドオーバ先候補の近隣基地局の識別情報としては、当該近隣基地局の基地局ＩＤ、又は当該近隣基地局が管理するセルのセルＩＤが使用できる。ハンドオーバ先候補の近隣基地局の動作状態情報としては、当該近隣基地局が通常状態であるか省電力状態であるかを示す情報が使用できる。
【００７６】
ハンドオーバ元候補の近隣基地局の識別情報と、ハンドオーバ元候補の近隣基地局の識別情報とは、自基地局ｅＮＢの設置時にオペレータによって設定されてもよく、自動で設定されてもよい。
【００７７】
図４の例において、基地局ｅＮＢ＃ｂが自基地局であるとすると、ハンドオーバ元候補としての基地局ｅＮＢ＃ａの識別情報に、自基地局ｅＮＢ＃ｂを挟んで基地局ｅＮＢ＃ａの反対側にある、ハンドオーバ先候補としての基地局ｅＮＢ＃１及びｅＮＢ＃２のそれぞれの識別情報が予め対応付けられる。また、ハンドオーバ元候補としての基地局ｅＮＢ＃１の識別情報に、自基地局ｅＮＢ＃ｂを挟んで基地局ｅＮＢ＃１の反対側にある、ハンドオーバ先候補としての基地局ｅＮＢ＃ａ及びｅＮＢ＃４のそれぞれの識別情報が予め対応付けられる。さらに、ハンドオーバ元候補としての基地局ｅＮＢ＃２の識別情報に、自基地局ｅＮＢ＃ｂを挟んで基地局ｅＮＢ＃２の反対側にある、ハンドオーバ先候補としての基地局ｅＮＢ＃ａの識別情報が予め対応付けられる。ハンドオーバ元候補としての基地局ｅＮＢ＃３，ｅＮＢ＃４，ｅＮＢ＃５についても同様にしてハンドオーバ先候補としての基地局の識別情報が予め対応付けられる。
【００７８】
第２実施形態では、ハンドオーバ先候補特定部１５５は、記憶部１４０を参照して、ハンドオーバ元特定部１５４によって特定されたハンドオーバ元の基地局ｅＮＢ＃ａに対応する近隣基地局ｅＮＢを、無線端末ＵＥのハンドオーバ先候補として特定する。
【００７９】
（２．２）移動通信システムの動作例
次に、第２実施形態に係る移動通信システム１の動作例を説明する。図８は、第２実施形態に係る移動通信システム１の動作を説明するための動作シーケンス図である。本動作シーケンスでは、基地局ｅＮＢ＃ｂ（図４参照）の動作を主として説明する。
【００８０】
ステップＳ２０１において、無線端末ＵＥは、基地局ｅＮＢから受信する参照信号の受信電力（ＲＳＲＰ）及び／又は参照信号の受信電力（ＲＳＲＱ）の測定結果が、予め設定されている報告条件を満たしたことを検知し、測定結果を示すMeasurement Reportメッセージを基地局ｅＮＢ＃ａに送信する。基地局ｅＮＢ＃ａは、Measurement Reportメッセージを受信する。
【００８１】
ステップＳ２０２において、基地局ｅＮＢ＃ａは、無線端末ＵＥから受信したMeasurement Reportメッセージに基づいて、基地局ｅＮＢ＃ｂへのハンドオーバを決定する。
【００８２】
ステップＳ２０３において、基地局ｅＮＢ＃ａは、Handover Requestメッセージを、Ｘ２インターフェースを用いて基地局ｅＮＢ＃ｂに送信する。基地局ｅＮＢ＃ｂのネットワーク通信部１２０は、Handover Requestメッセージを受信する。基地局ｅＮＢ＃ｂのハンドオーバ元特定部１５４は、ネットワーク通信部１２０が受信したHandover Requestメッセージに含まれる端末識別情報及び基地局識別情報を取得し、当該端末識別情報及び基地局識別情報を対応付けて記憶部１４０に記憶させる。
【００８３】
ステップＳ２０４において、基地局ｅＮＢ＃ｂのハンドオーバ制御部１５２は、Handover Requestメッセージに含まれる端末識別情報によって示される無線端末ＵＥの受け入れ可否を判定し、当該無線端末ＵＥを受け入れる場合にはHandover Request ACKメッセージを基地局ｅＮＢ＃ａに送信するようネットワーク通信部１２０を制御する。基地局ｅＮＢ＃ａは、Handover Request ACKメッセージを受信する。
【００８４】
ステップＳ２０５において、基地局ｅＮＢ＃ａは、Handover Request ACKメッセージを受信したことに応じて、基地局ｅＮＢ＃ｂへのハンドオーバを指示するためのHandover commandを無線端末ＵＥに送信する。無線端末ＵＥは、Handover commandを受信する。
【００８５】
ステップＳ２０６において、無線端末ＵＥは、Handover commandを受信したことに応じて、基地局ｅＮＢ＃ｂとの接続処理を行う。当該接続処理において、無線端末ＵＥは、自無線端末ＵＥの識別情報を基地局ｅＮＢ＃ｂに通知する。
【００８６】
ステップＳ２０７において、基地局ｅＮＢ＃ｂのハンドオーバ元特定部１５４は、無線端末ＵＥの識別情報と対応付けられた基地局識別情報を記憶部１４０から取得し、取得した基地局識別情報によって示される隣接基地局を無線端末ＵＥのハンドオーバ元として特定する。
【００８７】
ステップＳ２０８において、基地局ｅＮＢ＃ｂのハンドオーバ先候補特定部１５５は、記憶部１４０に記憶されている図７で説明した近隣基地局情報を参照し、ハンドオーバ元特定部１５４によって特定されたハンドオーバ元の基地局ｅＮＢ＃ａに対応する近隣基地局であって、且つ省電力状態である隣接基地局ｅＮＢ＃１及びｅＮＢ＃２を、無線端末ＵＥのハンドオーバ先候補として特定する。
【００８８】
ステップＳ２０９において、基地局ｅＮＢ＃ｂの動作状態制御部１５６は、ハンドオーバ先候補特定部１５５によって特定された基地局ｅＮＢ＃１及びｅＮＢ＃２に対して、Cell Activation Requestメッセージを送信するようネットワーク通信部１２０を制御する。ネットワーク通信部１２０は、Ｘ２インターフェースを用いてCell Activation Requestメッセージを送信し、基地局ｅＮＢ＃１及びｅＮＢ＃２は、Cell Activation Requestメッセージを受信する。基地局ｅＮＢ＃１及びｅＮＢ＃２は、Cell Activation Requestメッセージを受信した後、省電力状態から通常状態に復帰する。
【００８９】
（２．３）第２実施形態の効果
以上説明したように、第２実施形態によれば、基地局ｅＮＢ＃ｂは、予め記憶された対応付けを用いて、ハンドオーバ元の基地局ｅＮＢ＃ａに対応する、無線端末ＵＥのハンドオーバ先候補の基地局ｅＮＢ＃１及びｅＮＢ＃２を特定する。これにより、自基地局ｅＮＢ＃ｂの近隣に多くの基地局がある場合でも、無線端末ＵＥのハンドオーバ先候補の基地局を簡単な処理で特定できる。
【００９０】
（３）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【００９１】
例えば、上述した各実施形態では、基地局ｅＮＢ＃ｂは、近隣基地局が省電力状態にあるか否かを確認した上でCell Activation Requestメッセージを送信していたが、当該確認を省略してもよい。通常状態にある近隣基地局がCell Activation Requestメッセージを受信した場合には、当該近隣基地局は、Cell Activation Requestメッセージの送信元に対して、Cell Activation Failureメッセージを送信すればよい。
【００９２】
また、上述した各実施形態では、省電力状態からの復帰要求として、Ｘ２インターフェースを用いて伝送されるCell Activation Requestメッセージを使用していたが、他のメッセージ又は情報要素を使用してもよい。例えば、Ｓ１インターフェースを用いて伝送される復帰要求を新たに定義し、当該復帰要求を移動管理装置ＭＭＥが中継するとしてもよい。これにより、Ｘ２インターフェースが確立されていない近隣基地局間でも復帰要求を伝送可能になる。
【００９３】
このように本発明は、ここでは記載していない様々な実施形態等を包含するということを理解すべきである。したがって、本発明はこの開示から妥当な請求の範囲の発明特定事項によってのみ限定されるものである。  なお、日本国特許出願第２０１０−２８３５９８号（２０１０年１２月２０日出願）の全内容が、参照により、本願明細書に組み込まれている。
【産業上の利用可能性】
【００９４】
本発明によれば、近隣基地局を適切に通常状態に復帰させることができる基地局及びその制御方法を提供できる。
【図１】
2012086621.tif 000004
【図２】
2012086621.tif 000005
【図３】
2012086621.tif 000006
【図４】
2012086621.tif 000007
【図５】
2012086621.tif 000008
【図６】
2012086621.tif 000009
【図７】
2012086621.tif 000010
【図８】
2012086621.tif 000011
【国際調査報告】
2012086621.tif 000012
2012086621.tif 000013
2012086621.tif 000014
2012086621.tif 000015